【事件の表示】
　特願２０１３−２２１５８７「高架式ベッド椅子状変革装置」拒絶査定不服審判事件〔平成２７年４月２０日出願公開、特開２０１５−７３８８２〕について、次のとおり審決する。
【結　論】
　本件審判の請求は、成り立たない。
【理　由】
第１　手続の経緯
　本願は、平成２５年１０月７日の出願であって、平成２８年７月６日付けで拒絶査定がなされ、これに対し、平成２８年８月１日に拒絶査定に対する審判請求がなされると同時に手続補正がなされたものである。
　その後、当審において、平成２９年６月２７日付けで拒絶の理由を通知したところ、請求人は、平成２９年７月１４日に意見書を提出した。
第２　平成２９年６月２７日付け拒絶理由の概要
　当審において、平成２９年６月２７日付けで通知した拒絶理由の概要は以下のとおりである。
理由１．平成２８年８月１日付けでした手続補正は、下記の点で願書に最初に添付した明細書又は図面に記載した事項の範囲内においてしたものでないから、特許法第１７条の２第３項に規定する要件を満たしていない。 
　　　　　　　　　　　　　　　　記
　請求項１の記載に「リニアヘッド等の伸縮自在装置を取り付け」る点を追加する本件補正は、いわゆる新規事項を追加するものであって、本件補正は、当初明細書等に記載した事項の範囲内においてしたものでない。
理由２．この出願の下記の請求項に係る発明は、その出願前に日本国内において、頒布された下記の刊行物に記載された発明であるから、特許法第２９条第１項第３号に該当し、特許を受けることができない。また、この出願の下記の請求項に係る発明は、その出願前日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　記
　本願発明は、刊行物１発明である。
　また、本願発明は、刊行物１発明、並びに、刊行物２及び３の記載事項に基づいて、当業者が容易に発明をすることができたものである。
　　　　　　　　　　　引　用　文　献　等　一　覧
１．実願昭６２−１１３１２５号（実開昭６３−３４４２２号）のマイクロフィルム
２．特開平５−２６１１３３号公報
３．特開２００７−６１３６１号公報
第３　平成２９年７月１４日に提出された意見書について
　平成２９年７月１４日に提出された意見書の内容は、以下のとおりである。
「
」
第４　理由１（新規事項の追加）について
１　平成２８年８月１日付けでした手続補正により補正された特許請求の範囲の記載について
　平成２８年８月１日付けでした手続補正（以下「本件補正」という。）により補正された特許請求の範囲の請求項１の記載は、以下のとおりである。
「【請求項１】
 正逆両用減速ギヤモーターにリニアヘッド等の伸縮自在装置を取り付け、更に一体化している間接機能付き梃子棒が移動することより介護ベットの背中を起こし、脚部を下げて椅子状にすることを特徴とした「高架式ベッド椅子状変換装置」。」
　上記の請求項１には、「正逆両用減速ギヤモーターにリニアヘッド等の伸縮自在装置を取り付け」（以下「補正事項Ａ」という。）ることが記載されている。
２　本願出願当初の明細書、特許請求の範囲及び図面の記載について
　ここで、「正逆両用減速ギヤモーター」又は「モーター」に関しては、本願出願当初の明細書、特許請求の範囲及び図面（以下「当初明細書等」という。）には、以下の記載がある。なお、下線は当審で付与したものである。
（１）「コスト面から勘案し現在の
背中を起伏に用いているモーター
（２）「・・・▲１▼の場合同様脚専用の新規の
正逆兼用減速ギヤーモーター
（３）「次に▲３▼のテコの応用で
背中を起伏するモーター
（４）「テコの応用であれば
背中の起伏するモーター
（５）「・・・ベッドの
背中部が起伏する電動モーター
（６）「そこで既存の
背中が起伏するモーター
（７）「・・・
起伏モーター
背中部を起きて
（８）「そこで脚部を下がる構造にするには、脚の部位が起伏する
単独の正逆両用減速ギヤーモーター
背中部が起伏するモーター
（９）「・・・このテコの原理であれば
背中部が起伏するモーター
（１０）「・・・
起伏モーター
背中のベッドが起きて
（１１）【図１】〜【図３】
３　検討
　上記記載事項（１）〜（１１）によれば、当初明細書等には、「正逆両用減速ギヤモーター又はモーターによりベッドの背中部を起伏する」点が記載されているものと認められる。
　しかしながら、補正事項Ａの「リニアヘッド等の伸縮自在装置」は、当初明細書等には記載されておらず、また、当初明細書等の【図１】〜【図３】からも看取することができない。
　そうすると、当初明細書等の記載からは、「高架式ベッド椅子状変換装置」が「リニアヘッド等の伸縮自在装置」を備えていること、及び、「正逆両用減速ギヤモーター」に「リニアヘッド等の伸縮自在装置」を取り付けることまでは、発明特定事項として認定することはできない。
　これに対して、請求人は、上記第３で示した意見書を提出しているが、単に、新規事項の追加にはあてはまらない、と主張しているにとどまり、具体性を欠くものである。上記主張は、採用することはできない。
　したがって、請求項１の記載に、補正事項Ａの「リニアヘッド等の伸縮自在装置を取り付け」る点を追加する本件補正は、いわゆる新規事項を追加するものであって、本件補正は、当初明細書等に記載した事項の範囲内においてしたものでないから、特許法第１７条の２第３項に規定する要件を満たしていない。
第５　理由２（新規性欠如及び進歩性欠如）について
　本願の請求項１に係る発明は、上記第４のとおり、新規事項を含むものであるが、仮に新規事項を含まないとした上で、上記第２の理由２（新規性欠如及び進歩性欠如）について検討する。
１　本願発明
　本願の請求項１に係る発明（以下「本願発明」という。）は、平成２８年８月１日付け手続補正書により補正された、上記第４の１に示す特許請求の範囲の請求項１に記載された事項により特定されるとおりの「高架式ベッド椅子状変換装置」であると認める。
２　刊行物の記載事項
（１）刊行物１
　当審の拒絶の理由に引用した実願昭６２−１１３１２５号（実開昭６３−３４４２２号）のマイクロフィルム（以下「刊行物１」という。）には、「ベッド兼用車椅子」に関して、図面とともに、以下の事項が記載されている。なお、下線は当審で付したものである。
ア　実用新案登録請求の範囲
「キャスタを備えた
脚の上面に固定した座板と
前記座板の一端部に回動自在に装着した前板と、前記座板の他端部に回動自在に枢着した背板本体と
前記前板の裏面に設けた前アームの先端と前記背板本体の裏面に設けた後アームの先端とを連結させたリンクと、前記座板の裏面に固定した可逆回転モータの出力軸に固定した駆動アームの先端と前記リンクとを結合するリンクロッドとを具備する
ベッド兼用車椅子
イ　６頁８〜９行
「尚、前記モータ１０は、例えば電磁ブレーキを内装した
ギヤドモータ
ウ　７頁３〜１４行
「上記のように構成したベッド兼用車椅子を、まず
ベッドとして使用
エ　８頁３〜１１行
「次に、この状態から
車椅子に変形するときは、モータ１０を作動させて駆動アーム１２を反時計方向に回動させ、リンクロッド１３を介してリンク９を後方に移動させる
前アーム７及び後アーム８がともに反時計方向に回動するので前板４が
下降傾斜する
背板６が
上昇傾斜し
　上記記載事項ア〜エより、刊行物１には、以下の発明が記載されているものと認める。
「脚の上面に固定した座板３と、前記座板３の一端部に回動自在に装着した前板４と、前記座板４の他端部に回動自在に枢着した背板本体６ａと、前記前板４の裏面に設けた前アーム７の先端と前記背板本体６ａの裏面に設けた後アーム８の先端とを連結させたリンク９と、前記座板３の裏面に固定した可逆回転モータ１０たるギヤドモータの出力軸に固定した駆動アーム１２の先端と前記リンク９とを結合するリンクロッド１３等とを具備したベッド兼用車椅子であって、
　ベッドにした状態から、前記可逆回転モータ１０を作動させて前記駆動アーム１２を反時計方向に回動させ、前記リンクロッド１３を介して前記リンク９を後方に移動させ、前アーム７及び後アーム８を共に反時計方向に回動させ、前記前板４を下降傾斜させると共に前記背板６を上昇傾斜させて、車椅子に変形するベッド兼用車椅子。」（以下「刊行物１発明」という。）
（２）刊行物２
　同じく当審の拒絶の理由に引用した特開平５−２６１１３３号公報（以下「刊行物２」という。）には、「寝たきり病人・老人用ベッド」に関して、図面とともに、以下の事項が記載されている。なお、下線は当審で付したものである。
オ　段落【０００５】
「背受枠１の腰側に尻載枠２を折曲自在に連結した本体枠Ａの膝部側に膝部から足の付根部までの長さに対応した長さの脚受枠３を折曲自在に枢着連結し、この脚受枠３の足部側に足載枠４を折曲自在に枢着連結し、前記本体枠Ａの下部に
正逆回転可能な背受枠用昇降モータ１１
背受枠用昇降モータ１１の主軸に設けたねじ機構により背受枠１を起伏自在に設け
病人・老人用ベッド
カ　段落【００１２】
「・・・また起伏用モータ１１の主軸に同じく違いに
ねじ機構ａにより連結されて脚受枠用昇降モータ１１の正逆回転で伸縮動作する短い伸縮ロッド１７
脚受枠用昇降モータ１１による伸縮ロッド１７の伸縮動作によって前記背受枠１の傾度を調整する
（３）刊行物３
　同じく当審の拒絶の理由に引用した特開２００７−６１３６１号公報（以下「刊行物３」という。）には、「介護ベッド」に関して、図面とともに、以下の事項が記載されている。なお、下線は当審で付したものである。
キ　段落【００１５】
「・・・この
介護ベッド１
背床部４
ク　段落【００１６】
「床部３の下方には、
背床部４を水平状態と所定最大傾斜角度となる起立状態の範囲内で昇降駆動する駆動手段７
駆動手段７はモータ８とシリンダ９とスライドアーム１０を有しており、モータ８の回転力をスライドアーム１０の直進動作に変換してシリンダ９から出没させることにより、スライドアーム１０がモータ８の回転量に応じた伸縮動作を行う
３　対比
　本願発明と刊行物１発明とを対比する。
　まず、後者の「可逆回転モータ１０たるギヤドモータ」は、前者の「正逆両用減速ギヤモーター」に相当し、以下同様に、「リンク９」は「梃子棒」に、「背板本体６ａ」は「介護ベットの背中」に、「前板４」は「脚部」にそれぞれ相当する。
　また、後者の「脚の上面に固定した座板３と、前記座板３の一端部に回動自在に装着した前板４と、前記座板４の他端部に回動自在に枢着した背板本体６ａと」を具備した「ベッド」は、前者の「介護ベット」又は「高架式ベッド」に相当することも明らかである。
　また、後者の「リンク９」は「前板４の裏面に設けた前アーム７の先端と背板本体６ａの裏面に設けた後アーム８の先端とを連結させ」るものであるから、前アーム７及び後アーム８を含めて「一体化」しており、前アーム７及び後アーム８との連結箇所において「間接機能」を有しているといえる。
　そうすると、後者の「前記前板４の裏面に設けた前アーム７の先端と前記背板本体６ａの裏面に設けた後アーム８の先端とを連結させたリンク９」は、前者の「一体化している間接機能付き梃子棒」に相当することとなり、後者の「ベッドにした状態から」「前記リンク９を後方に移動させ、前アーム７及び後アーム８を共に反時計方向に回動させ、前記前板４を下降傾斜させると共に前記背板６を上昇傾斜させて、車椅子に変形する」は、前者の「一体化している間接機能付き梃子棒が移動することより介護ベットの背中を起こし、脚部を下げて椅子状にする」に相当し、後者の「ベッド兼用車椅子」は、前者の「高架式ベッド椅子状変換装置」に相当することとなる。
　さらに、後者の「前記座板３の裏面に固定した可逆回転モータ１０たるギヤドモータの出力軸に固定した駆動アーム１２の先端と前記リンク９とを結合するリンクロッド１３」を具備し、「前記可逆回転モータ１０を作動させて前記駆動アーム１２を反時計方向に回動させ、前記リンクロッド１３を介して前記リンク９を後方に移動させ」る点は、「正逆両用減速ギヤモーターに動力伝達手段を取り付け、梃子棒が移動する」という限りにおいて、前者の「正逆両用減速ギヤモーターにリニアヘッド等の伸縮自在装置を取り付け・・・梃子棒が移動する」ことと共通する。
　したがって、本願発明と刊行物１発明とは、次の点で一致する。
＜一致点＞
「正逆両用減速ギヤモーターに動力伝達手段を取り付け、更に一体化している間接機能付き梃子棒が移動することより介護ベットの背中を起こし、脚部を下げて椅子状にする『高架式ベッド椅子状変換装置』」
　そして、本願発明と刊行物１発明は、次の点で相違する。
＜相違点＞
　動力伝達手段について、本願発明は「リニアヘッド等の伸縮自在装置」であるのに対して、刊行物１発明は「モータ１０の出力軸に固定した駆動アーム１２の先端とリンク９とを結合するリンクロッド１３」である点。
４　相違点の判断
（１）本願発明の「リニアヘッド等の伸縮自在装置」の解釈について
　上記第４のとおり、当初明細書等の記載からは、「高架式ベッド椅子状変換装置」が「リニアヘッド等の伸縮自在装置」を備えていること、及び、「正逆両用減速ギヤモーター」に「リニアヘッド等の伸縮自在装置」を取り付けることまでは、発明特定事項として認定することはできない。
　このように、当初明細書等の記載に基づくと、本願発明の「リニアヘッド等の伸縮自在装置」とは、その文言どおりのものと解釈することはできず、単に一般的な動力伝達手段を特定したものにすぎないとせざるを得ない（以下、この場合を「解釈Ａ」という。）。
　一方で、請求項の記載のとおりに解釈する場合には、本願発明の「リニアヘッド等の伸縮自在装置」とは、あくまで、その文言どおり、「リニアヘッド等の伸縮自在装置」を特定したものということとなる（以下、この場合を「解釈Ｂ」という。）。
　一般的には、請求項に係る発明の解釈については、本来、請求項の記載のとおりに行うのが原則である。しかしながら、本願については、その原則を貫くと、本願発明の認定が当初明細書等の範囲からは外れることとなる。
　そこで、本願については、その事案にかんがみ、解釈Ａ及びＢの双方について、以下で検討することとする。
（２）解釈Ａについて
　上記のとおり、解釈Ａでは、本願発明の「リニアヘッド等の伸縮自在装置」とは、単に一般的な動力伝達手段を特定したものにすぎない。
　そして、刊行物１発明の「モータ１０の出力軸に固定した駆動アーム１２の先端とリンク９とを結合するリンクロッド１３」も動力伝達手段であることから、上記相違点は形式的なものにすぎず、本願発明と刊行物１発明は、実質的には、相違点がないこととなる。
（３）解釈Ｂについて
　上記のとおり、解釈Ｂでは、本願発明の「リニアヘッド等の伸縮自在装置」は、その文言どおりのものと解される。
　そして、上記記載事項オ〜クのとおり、介護ベッド等に用いられる動力源及び動力伝達手段として、刊行物２には、背受枠用昇降モータ１１及び伸縮ロッド１７が、刊行物３には、モータ８、シリンダ９及びスライドアーム１０が、それぞれ記載されている。
　そうすると、刊行物１発明において、動力伝達手段として、刊行物２及び３に記載されたものを採用して、可逆回転モータ１０に「リニアヘッド等の伸縮自在装置」を取り付けることとし、もって、当該伸縮自在装置を介してリンク９を移動させ、前板４を下降傾斜させ背板６を上昇傾斜させることは、当業者にとって容易である。
５　請求人の主張について
　当審の拒絶理由に対して、請求人は、上記第３で示した意見書を提出しているが、意見書の内容を善解するに、単に、本願発明は、新規の発明であるから、新規性及び進歩性を有する、と主張しているにとどまり、具体性を欠くものである。上記主張は、採用することはできない。
６　まとめ
　したがって、本願発明は、刊行物１発明であるから、特許法第２９条第１項に該当し、特許を受けることができない。
　また、本願発明は、刊行物１発明、並びに、刊行物２及び３の記載事項に基づいて、当業者が容易に発明をすることができたものであるから、特許法第２９条第２項の規定により特許を受けることができない。
第６　むすび
　以上のとおり、本願について平成２８年８月１日になされた手続補正は、特許法第１７の２第３項に規定される要件を満たしていないから、本願は拒絶すべきものである。
　仮に、上記手続補正が、特許法第１７条の２第３項に規定される要件を満たすとしても、本願発明は、特許法第２９条第１項に該当し、特許を受けることができず、また、特許法第２９条第２項の規定により特許を受けることができないから、本願は拒絶すべきものである。
　よって、結論のとおり審決する。